(57)【要約】【課題】移動端末がハンドオーバする際に生じるパケットロスを最小限に抑えることが可能なＷｉＭＡＸＧＷ基地局装置及びＷｉＭＡＸハンドオーバ制御システムを提供する。【解決手段】ＷｉＭＡＸハンドオーバ制御システム１０におけるＷｉＭＡＸＧＷ基地局装置３６は、移動端末１２と無線接続する基地局３２ａと、ＣＳＮ１８と基地局３２ａとを接続するＡＳＮＧＷ３４ａと、を備え、移動端末１２が基地局２２ａから基地局３２ａへ無線接続を変更するときのハンドオーバを制御する。基地局２２ａと、基地局２２ａに接続されるＡＳＮＧＷ２４ａとが属するＡＳＮ２０は、基地局３２ａと、基地局３２ａに接続されるＡＳＮＧＷ３４ａとが属するＡＳＮ３０とは異なり、移動端末１２が基地局２２ａから基地局３２ａへハンドオーバした後の移動端末１２とＣＳＮ１８との通信経路を、ＡＳＮＧＷ２４ａとＡＳＮＧＷ３４ａ間の通信経路を含んで確立する。【選択図】図２
2009153042.tif 000002
【特許請求の範囲】
【請求項１】
移動端末と無線接続する基地局と、コネクティビティサービスネットワーク（ＣＳＮ）と前記基地局とを接続するゲートウェイ（ＧＷ）と、を備え、前記移動端末が一の基地局から他の基地局へ無線接続を変更するときのハンドオーバを制御するＷｉＭＡＸＧＷ基地局装置であって、
前記一の基地局と、前記一の基地局に接続される一のＧＷとが属する一のアクセスサービスネットワーク（ＡＳＮ）は、前記他の基地局と、前記他の基地局に接続される他のＧＷとが属する他のＡＳＮとは異なり、
前記移動端末が前記一の基地局から前記他の基地局へハンドオーバした後の前記移動端末と前記ＣＳＮとの通信経路を、前記一のＧＷと前記他のＧＷ間の通信経路を含んで確立する
ことを特徴とするＷｉＭＡＸＧＷ基地局装置。
【請求項２】
請求項１記載のＷｉＭＡＸＧＷ基地局装置において、
前記他のＧＷは、
前記他のＡＳＮに属する前記他のＧＷを含む１又は複数のＧＷの識別符号と、前記他のＧＷを含む１又は複数のＧＷに接続される基地局に無線接続されている他の移動端末の識別符号と、を含む関連情報を格納し、
前記一の基地局から前記他の基地局へハンドオーバしてきた前記移動端末の識別符号と、前記関連情報とを照合し、その結果に基づき前記一のＧＷとの間の前記通信経路を確立する
ことを特徴とするＷｉＭＡＸＧＷ基地局装置。
【請求項３】
請求項１又は２記載のＷｉＭＡＸＧＷ基地局装置において、
前記一のＧＷとの間で前記通信経路を確立した前記他のＧＷは、
前記他の基地局、前記他のＧＷ、前記ＣＳＮを経由する通信経路をさらに確立した後に、前記一のＧＷとの間で確立した前記通信経路を開放し、前記移動端末と前記ＣＳＮとの通信経路を切り換える
ことを特徴とするＷｉＭＡＸＧＷ基地局装置。
【請求項４】
請求項３記載のＷｉＭＡＸＧＷ基地局装置において、
前記他のＧＷは、
前記移動端末と前記ＣＳＮとの通信経路の切り換えを、前記移動端末、前記他の基地局、前記他のＧＷのいずれかのデータ処理量が所定のデータ処理量以下であることを検知したときに行う
ことを特徴とするＷｉＭＡＸＧＷ基地局装置。
【請求項５】
請求項３記載のＷｉＭＡＸＧＷ基地局装置において、
前記他のＧＷは、
前記移動端末と前記ＣＳＮとの通信経路の切り換えを、前記ＣＳＮに接続され前記移動端末の認証を行うＡＡＡサーバに対して、前記移動端末が認証を要求するときに行う
ことを特徴とするＷｉＭＡＸＧＷ基地局装置。
【請求項６】
請求項３記載のＷｉＭＡＸＧＷ基地局装置において、
前記他のＧＷは、
前記移動端末と前記ＣＳＮとの通信経路の切り換えを、前記ＣＳＮに接続され前記移動端末の位置情報の登録を行うホームエージェントに対して、前記移動端末が位置情報の登録を要求するときに行う
ことを特徴とするＷｉＭＡＸＧＷ基地局装置。
【請求項７】
請求項１〜６のいずれか１項に記載のＷｉＭＡＸＧＷ基地局装置を含むＷｉＭＡＸハンドオーバ制御システムであって、
前記移動端末と、前記一のＡＳＮと、前記他のＡＳＮと、前記ＣＳＮと、前記ＣＳＮに接続された前記ＡＡＡサーバと前記ホームエージェントとを、
備えたことを特徴とするＷｉＭＡＸハンドオーバ制御システム。
【発明の詳細な説明】
【技術分野】
【０００１】
本発明は、移動端末が基地局間でハンドオーバする際の制御をするゲートウェイ及び基地局を備えたＷｉＭＡＸＧＷ基地局装置及びＷｉＭＡＸハンドオーバ制御システムに関する。
【背景技術】
【０００２】
次世代の高速移動体通信方式としてＷｉＭＡＸ(Worldwide Interoperability for Microwave Access)が国際的に注目を集めている。
【０００３】
図４は、一般的なＷｉＭＡＸの全体のシステムの説明図である。図４に示すＷｉＭＡＸシステム１００は、移動端末（ＭＳ）１２と、ＡＡＡサーバ１４と、ＨＡ（Home  Agent）１６と、前記ＡＡＡサーバ１４及びＨＡ１６が接続されるＣＳＮ（Connectivity  Service  Network）１８と、前記ＣＳＮ１８に接続するＡＳＮ（Access  Service  Network）２０とＡＳＮ１２０とを備えている。
【０００４】
移動端末１２、１２ａ、１２ｂは、通信機能を有するコンピュータや携帯電話等であり、ＡＡＡサーバ１４は、移動端末１２のネットワークサービスに対する認証（Authentication）、承認（Authorization）、課金（Accounting）を行うサーバであり、ＨＡ１６は、移動端末１２が識別符号として有するホームアドレスと移動端末１２の位置情報とを関連付けた登録、管理を行うサーバである。
【０００５】
ＡＳＮ２０は、基地局（ＢＳ）２２ａ、２２ｂと、ＡＳＮＧＷ（Access  Service  Network  Gateway）２４ａ、２４ｂとを備え、ＡＳＮ１２０は、基地局３２ａ、３２ｂと、ＡＳＮＧＷ１２４ａ、１２４ｂとを備える。基地局２２ａ、２２ｂ、３２ａ、３２ｂは、移動端末１２と無線通信するための無線装置であり、ＡＳＮＧＷ２４ａ、２４ｂ、１２４ａ、１２４ｂは、基地局の管理、基地局とＣＳＮ１８との接続を制御し、ＡＳＮＧＷ２４ａは、ＣＳＮ１８と基地局２２ａとの接続を制御し、ＡＳＮＧＷ２４ｂは、ＣＳＮ１８と基地局２２ｂとの接続を制御し、ＡＳＮＧＷ１２４ａはＣＳＮ１８と基地局３２ａとの接続を制御し、ＡＳＮＧＷ１２４ｂはＣＳＮ１８と基地局３２ｂとの接続を制御をする。
【０００６】
移動端末１２が例えば、インターネット接続するためには、基地局２２ａと無線接続して、ＡＳＮＧＷ２４ａ、ＣＳＮ１８を介して、ＡＡＡサーバ１４で認証等を行うとともに、ＨＡ１６に対して、移動端末１２のホームアドレス及び移動端末１２がＡＳＮ２０の配下に存在することを示す位置情報が登録される。
【０００７】
移動端末１２が接続している基地局２２ａとの間で無線通信ができなくなる場所に移動した場合に、引き続きインターネット接続するためには、無線通信の接続先を基地局２２ａから他の基地局、例えば、基地局３２ａに変更する必要がある。この移動端末１２が現在、無線接続されている基地局から、他の基地局に無線接続先を変更することをハンドオーバという（非特許文献１参照）。
【０００８】
【非特許文献１】WiMAX FORUM 「WiMAX Forum Network Architecture」 ２００７年３月２８日  p.151-192
【発明の開示】
【発明が解決しようとする課題】
【０００９】
しかしながら、ＡＳＮ２０の基地局２２ａからＡＳＮ１２０の基地局３２ａと異なるＡＳＮを跨いで移動端末１２がハンドオーバする場合には、ＣＳＮとＡＳＮＧＷとの通信経路であるＲ３通信経路を、具体的には、ＡＳＮＧＷ２４ａとＣＳＮ１８間のＲ３通信経路をＡＳＮＧＷ１２４ａとＣＳＮ１８間のＲ３通信経路に変更する必要がある。Ｒ３通信経路の変更を伴うハンドオーバをする際には、移動端末１２は、ＡＡＡサーバ１４に対して再認証が必要であり、また、ＨＡ１６に対しては再度の位置情報の登録が必要となる。
【００１０】
移動端末１２は、ＡＡＡサーバ１４、ＨＡ１６に対する再認証や位置情報の登録が完了するまでの間、最大数秒間、通信不能となる。その結果、移動端末１２から送信されたデータがインターネットに対して送信されずに、いわゆるパケットロスが生じてしまう。特に、ビデオ・オン・デマンド(VOD：Video On Demand)による動画データの配信や、ＩＰ電話に代表されるVoIP（Voice over Internet Protocol）における音声データの送受信においては、僅かなパケットロスにより使い勝手が低下するために、パケットロスの少ないハンドオーバが望まれている。
【００１１】
本発明は、上記の課題を考慮してなされたものであって、移動端末がハンドオーバする際に生じるパケットロスを最小限に抑えることが可能なＷｉＭＡＸＧＷ基地局装置及びＷｉＭＡＸハンドオーバ制御システムを提供することを目的とする。
【課題を解決するための手段】
【００１２】
本発明に係るＷｉＭＡＸＧＷ基地局装置は、移動端末と無線接続する基地局と、コネクティビティサービスネットワーク（ＣＳＮ）と前記基地局とを接続するゲートウェイ（ＧＷ）と、を備え、前記移動端末が一の基地局から他の基地局へ無線接続を変更するときのハンドオーバを制御するＷｉＭＡＸＧＷ基地局装置であって、前記一の基地局と、前記一の基地局に接続される一のＧＷとが属する一のアクセスサービスネットワーク（ＡＳＮ）は、前記他の基地局と、前記他の基地局に接続される他のＧＷとが属する他のＡＳＮとは異なり、前記移動端末が前記一の基地局から前記他の基地局へハンドオーバした後の前記移動端末と前記ＣＳＮとの通信経路を、前記一のＧＷと前記他のＧＷ間の通信経路を含んで確立することを特徴とする。
【００１３】
本発明に係るＷｉＭＡＸＧＷ基地局装置では、前記移動端末が前記一の基地局から前記他の基地局へハンドオーバした後に前記一のＧＷと前記他のＧＷ間で通信経路を確立することにより、ハンドオーバによって生じるパケットロスの発生を大幅に抑えることができる。
【００１４】
また、前記他のＧＷは、前記他のＡＳＮに属する前記他のＧＷを含む１又は複数のＧＷの識別符号と、前記他のＧＷを含む１又は複数のＧＷに接続される基地局に無線接続されている他の移動端末の識別符号と、を含む関連情報を格納し、前記一の基地局から前記他の基地局へハンドオーバしてきた前記移動端末の識別符号と、前記関連情報とを照合し、その結果に基づき前記一のＧＷとの間の前記通信経路を確立する。
【００１５】
さらに、本発明に係るＷｉＭＡＸＧＷ基地局装置では、前記一のＧＷとの間で前記通信経路を確立した前記他のＧＷは、前記他の基地局、前記他のＧＷ、前記ＣＳＮを経由する通信経路をさらに確立した後に、前記一のＧＷとの間で確立した前記通信経路を開放し、前記移動端末と前記ＣＳＮとの通信経路を切り換える。
【００１６】
前記移動端末と前記ＣＳＮとの通信経路の切り換えは、前記移動端末、前記他の基地局、前記他のＧＷのいずれかのデータ処理量が所定のデータ処理量以下であることを検知したとき、前記ＣＳＮに接続され前記移動端末の認証を行うＡＡＡサーバに対して、前記移動端末が認証を要求するとき、あるいは、前記ＣＳＮに接続され前記移動端末の位置情報の登録を行うホームエージェントに対して、前記移動端末が位置情報の登録を要求するときのいずれかのときに行うのが好ましい。
【００１７】
本発明に係るＷｉＭＡＸＧＷ基地局装置を含むＷｉＭＡＸハンドオーバ制御システムは、前記移動端末と、前記一のＡＳＮと、前記他のＡＳＮと、前記ＣＳＮと、前記ＣＳＮに接続された前記ＡＡＡサーバと前記ホームエージェントとを、備えたことを特徴とする。
【発明の効果】
【００１８】
本発明によれば、前記移動端末が前記一の基地局から前記他の基地局へハンドオーバした後に前記一のＧＷと前記他のＧＷ間で通信経路を確立することにより、ハンドオーバによって生じるパケットロスの発生を大幅に抑えることができる。また、前記一のＧＷとの間で前記通信経路を確立した前記他のＧＷは、前記他の基地局、前記他のＧＷ、前記ＣＳＮを経由した通信経路をさらに確立した後に、前記一のＧＷとの間で確立した前記通信経路を開放し、前記移動端末と前記ＣＳＮとの通信経路を切り換えることにより、Ｒ３通信経路を確立する際に発生するパケットロスを最小限に抑えることができる。
【発明を実施するための最良の形態】
【００１９】
以下、本発明の実施形態について図面を参照して説明する。図１は、本発明の実施形態に係るＷｉＭＡＸハンドオーバ制御システム１０の説明図であり、図２は、移動端末１２がハンドオーバした後に、Ｒ４通信経路を確立した状態の説明図である。なお、図４に示したＷｉＭＡＸシステム１００と同一の構成要素には同一の符号を付し、その詳細な説明を省略する。
【００２０】
図１に示すＷｉＭＡＸハンドオーバ制御システム１０は、ＷｉＭＡＸシステム１００のＡＳＮ１２０の代わりにＡＳＮ３０を備える。ＡＳＮ３０は、基地局３２ａ、３２ｂと、ＡＳＮＧＷ３４ａ、３４ｂとを備え、ＡＳＮＧＷ３４ａ、３４ｂは、移動端末１２がハンドオーバした際に発生するパケットロスを最小限に抑える機能を備えるゲートウェイである。また、基地局３２ａとＡＳＮＧＷ３４ａとからＷｉＭＡＸＧＷ基地局装置３６が構成される。
【００２１】
移動端末１２が、ＣＳＮ１８を介して例えば、インターネット接続する場合には、上述したように基地局２２ａと無線接続して、ＡＳＮＧＷ２４ａ、ＣＳＮ１８を介して、ＡＡＡサーバ１４で認証等を行うとともに、ＨＡ１６に対して、移動端末１２の識別符号であるホームアドレス及び移動端末１２がＡＳＮ２０の配下に存在することを示す位置情報が登録される。
【００２２】
また、同一のＡＳＮ内、即ち、ＡＳＮ２０内ではＡＳＮＧＷ２４ａとＡＳＮＧＷ２４ｂとでＧＷグループ４０ａを形成し、ＡＳＮ３０内ではＡＳＮＧＷ３４ａとＡＳＮＧＷ３４ｂとでＧＷグループ４０ｂを形成する。ＡＳＮＧＷ２４ａの識別符号をＧＷ１、ＡＳＮＧＷ２４ｂの識別符号をＧＷ２、ＡＳＮＧＷ３４ａの識別符号をＧＷ３、ＡＳＮＧＷ３４ｂの識別符号をＧＷ４とすると、ＡＳＮＧＷ２４ａ、２４ｂはＧＷグループ４０ａに属することから、各々ＧＷグループ識別符号として「ＧＷ１、ＧＷ２」を有し、ＡＳＮＧＷ３４ａ、３４ｂはＧＷグループ４０ｂに属することから、各々ＧＷグループ識別符号「ＧＷ３、ＧＷ４」を有する。さらに、ＡＳＮＧＷ２４ａ、２４ｂ、３４ａ、３４ｂの各々の配下に移動端末１２、１２ａ、１２ｂが存在する場合には、ＧＷグループ識別符号と移動端末１２、１２ａ、１２ｂのホームアドレスとを関連付けた関連情報を格納する。例えば、ＡＳＮＧＷ２４ａに接続する基地局２２ａの配下に移動端末１２が存在する場合には、ＡＳＮＧＷ２４ａはＧＷグループ識別符号ＧＷ１、ＧＷ２と移動端末１２のホームアドレスとを関連付けた関連情報を格納する。さらにまた、ＡＳＮ２０内に移動端末１２以外の他の移動端末１２ａがＡＳＮＧＷ２４ｂに接続する基地局２２ｂの配下に存在する場合には、ＡＳＮＧＷ２４ａ、２４ｂには、ＧＷグループ識別符号ＧＷ１、ＧＷ２と移動端末１２、１２ａの各ホームアドレスとが関連付けられ関連情報として格納される。
【００２３】
次に、移動端末１２が基地局２２ａから基地局３２ａへハンドオーバした場合の通信経路の確立について説明する。
【００２４】
移動端末１２が基地局２２ａから基地局３２ａへハンドオーバすると、基地局３２ａと無線接続して、移動端末１２のホームアドレスが基地局３２ａを介して、ＡＳＮＧＷ３４ａに通知される。ＡＳＮＧＷ３４ａが格納する関連情報は、ＧＷグループ識別符号ＧＷ３、ＧＷ４と基地局３２ａ、３２ｂの配下に存在する移動端末１２ｂのホームアドレスとを関連付けた情報である。従って、ＡＳＮＧＷ３４ａが格納する関連情報と通知された移動端末１２のホームアドレスとを照合した結果、前記関連情報には、移動端末１２のホームアドレスが含まれないために、移動端末１２は、ＡＳＮ３０とは異なるＡＳＮ２０の配下の基地局２２ａ、２２ｂからハンドオーバしてきたことを検知することができる。
【００２５】
この照合結果を受けて、ＡＳＮＧＷ３４ａは、ＡＳＮＧＷ同士の通信経路であるＲ４通信経路をＡＳＮＧＷ２４ａとの間で確立する（図２参照）。移動端末１２が基地局２２ａから基地局３２ａへハンドオーバする直前では、ＡＳＮＧＷ２４ａとＣＳＮ１８との間ではＲ３通信経路が確立されていたために、前記Ｒ４通信経路を確立することにより、移動端末１２は、基地局３２ａ、ＡＳＮＧＷ３４ａ、ＡＳＮＧＷ２４ａ、ＣＳＮ１８の順番で通信経路を確立し、インターネット接続が可能となる。従って、移動端末１２は、Ｒ３通信経路を変更せずに、異なるＡＳＮであるＡＳＮ２０、ＡＳＮ３０を跨いだハンドオーバが可能となる。
【００２６】
以上説明したように、ＷｉＭＡＸＧＷ基地局装置３６を含むＷｉＭＡＸハンドオーバ制御システム１０は、移動端末１２と、ＡＳＮ２０と、ＡＳＮ３０と、ＣＳＮ１８と、ＣＳＮ１８に接続されたＡＡＡサーバ１４とＨＡ１６とを備える。
【００２７】
ＷｉＭＡＸハンドオーバ制御システム１０におけるＷｉＭＡＸＧＷ基地局装置３６は、移動端末１２と無線接続する基地局３２ａと、ＣＳＮ１８と基地局３２ａとを接続するＡＳＮＧＷ３４ａと、を備え、移動端末１２が基地局２２ａから基地局３２ａへ無線接続を変更するときのハンドオーバを制御する。基地局２２ａと、基地局２２ａに接続されるＡＳＮＧＷ２４ａとが属するＡＳＮ２０は、基地局３２ａと、基地局３２ａに接続されるＡＳＮＧＷ３４ａとが属するＡＳＮ３０とは異なり、移動端末１２が基地局２２ａから基地局３２ａへハンドオーバした後の移動端末１２とＣＳＮ１８との通信経路を、ＡＳＮＧＷ２４ａとＡＳＮＧＷ３４ａ間の通信経路を含んで確立する。
【００２８】
ＡＳＮＧＷ３４ａは、ＡＳＮ３０に属するＡＳＮＧＷ３４ａ、３４ｂの識別符号ＧＷ３、ＧＷ４と、ＡＳＮＧＷ３４ａ、３４ｂに接続される基地局３２ａ、３２ｂに無線接続されている移動端末１２ｂのホームアドレスと、を含む関連情報を格納し、基地局２２ａから基地局３２ａへハンドオーバしてきた移動端末１２のホームアドレスと、前記関連情報とを照合し、その結果に基づきＡＳＮＧＷ２４ａとの間のＲ４通信経路を確立する。
【００２９】
ＷｉＭＡＸハンドオーバ制御システム１０では、移動端末１２が基地局２２ａから基地局３２ａの配下に移動して、ＡＳＮＧＷ３４ａとＡＳＮＧＷ２４ａとの間のＲ４通信経路の確立するために最大で数十ミリ秒程度を要する。このＲ４通信経路の確立により通信不能時間は発生するが、従来のＲ３通信経路の変更を伴うハンドオーバの際に発生していた通信不能時間と比較すると大幅に短縮され、その結果、パケットロスの発生も大幅に抑えることができる。
【００３０】
上述したＲ４ハンドオーバでは、ＡＳＮＧＷ３４ａとＣＳＮ１８との間で直接、Ｒ３通信経路を確立せずに、ＡＳＮＧＷ３４ａとＡＳＮＧＷ２４ａとの間でＲ４通信経路を確立し、さらにＡＳＮＧＷ２４ａとＣＳＮ１８との間でＲ３通信経路を確立している。そのために、ＡＳＮＧＷ２４ａは、基地局２２ａの配下に移動端末が存在する場合には、このＣＳＮ１８を介した前記移動端末に関するデータ通信の他に、ＡＳＮＧＷ３４ａとの間でＲ４通信経路が確立されているために、移動端末１２に関するデータ通信の処理をする必要がある。従って、ＡＳＮＧＷ２４ａの処理負荷が通常よりも増大するおそれがあるので、当該処理負荷を軽減するために、ＡＳＮＧＷ３４ａとＣＳＮ１８との接続をＡＳＮＧＷ２４ａを介さずに、直接、ＣＳＮ１８との間でＲ３通信経路を確立する方が好ましい。
【００３１】
しかしながら、Ｒ３通信経路を確立する場合には、最大数秒間程度の通信不能時間が発生し、パケットロスが発生するのでこのパケットロスの発生を最小限に抑えつつ、ＡＳＮＧＷ３４ａとＣＳＮ１８との間でＲ３通信経路を確立する必要がある。
【００３２】
パケットロスの発生を最小限に抑えながら、適切にＡＳＮＧＷ３４ａとＣＳＮ１８との間でＲ３通信経路を確立する方法について説明する。図３は、ＡＳＮＧＷ３４ａとＣＳＮ１８との間でＲ３通信経路を確立した状態の説明図である。
【００３３】
ＡＳＮＧＷ３４ａは、ＣＳＮ１８との間のＲ３通信経路を、移動端末１２、基地局３２ａ、ＡＳＮＧＷ３４ａ自体のデータ処理量が所定のデータ処理量以下である場合に確立する。ＡＳＮＧＷ３４ａは、移動端末１２のデータ処理量として、移動端末１２が送受信する通信データのデータ通信量を監視し、前記データ通信量が予め設定したデータ通信量の閾値以下の場合に、ＣＳＮ１８との間のＲ３通信経路を確立する。その後、ＡＳＮＧＷ３４ａは、図２に示すＡＳＮＧＷ３４ａとＡＳＮＧＷ２４ａとの間に確立したＲ４通信経路を開放する。
【００３４】
通常のデータ通信をしている状態のデータ通信量よりも少ないデータ通信量の値をデータ通信量の閾値として設定することにより、データ通信量が少ない状態でＲ３通信経路に切り換えることが可能となり、その結果、パケットロスを最小限に抑えることが可能となる。
【００３５】
この場合、ＡＳＮＧＷ３４ａは、データ通信量の閾値を単位時間当たりのデータ通信量として設定してもよい。ＡＳＮＧＷ３４ａは、通信データの種類に応じてデータ通信量の閾値を設定してもよい。通信データの種類の識別は、通信データが通過するポート番号に基づいて識別することが可能であり、また、通信データに含まれる識別子に基づいて識別することも可能である。なお、ＡＳＮＧＷ３４ａが識別した通信データがＶｏＩＰパケットやＶＯＤで配信される動画データ等のリアルタイムアプリケーションである場合には、パケットロスが許されないのでＲ３通信経路を確立せずに、Ｒ４通信経路を維持したままとしてもよい。
【００３６】
また、ＡＳＮＧＷ３４ａは、基地局３２ａのデータ処理量として、基地局３２ａが移動端末１２やＡＳＮＧＷ３４ａとの相互通信のために制御処理するデータ制御処理量を監視し、当該データ制御処理量が予め設定した閾値以下の場合にＣＳＮ１８との間のＲ３通信経路を確立してもよい。さらに、ＡＳＮＧＷ３４ａは、ＡＳＮＧＷ３４ａ自体のデータ処理量として、基地局３２ａやＣＳＮ１８との相互通信のために制御処理するデータ制御処理量を監視し、当該データ制御処理量が予め設定した閾値以下の場合にＣＳＮ１８との間のＲ３通信経路を確立してもよい。
【００３７】
また、データ処理量の監視によらずに、移動端末１２がＡＡＡサーバ１４に対して周期的に要求する再認証要求を監視し、当該再認証要求がされた場合や、ＨＡ１６に対して周期的に要求する位置情報の再登録要求を監視し、当該再認証要求がされた場合にＣＳＮ１８との間のＲ３通信経路を確立してもよい。再認証要求や再登録要求の際に移動端末１２とＣＳＮ１８との間で送受信されるデータ通信量は比較的少ないために、パケットロスを小さくすることができる。
【００３８】
ＷｉＭＡＸハンドオーバ制御システム１０のＷｉＭＡＸＧＷ基地局装置３６では、ＡＳＮＧＷ２４ａとの間で前記通信経路を確立したＡＳＮＧＷ３４ａは、基地局３２ａ、ＡＳＮＧＷ３４ａ、ＣＳＮ１８を経由する通信経路をさらに確立した後に、ＡＳＮＧＷ２４ａとの間で確立したＲ４通信経路を開放し、移動端末１２とＣＳＮ１８との通信経路を切り換える。
【００３９】
移動端末１２とＣＳＮ１８との通信経路を切り換えは、移動端末１２、基地局３２ａ、ＡＳＮＧＷ３４ａのいずれかのデータ処理量が所定のデータ処理量以下であることを検知したとき、ＣＳＮ１８に接続され移動端末１２の認証を行うＡＡＡサーバ１４に対して、移動端末１２が認証を要求するとき、ＣＳＮ１８に接続され移動端末１２の位置情報の登録を行うＨＡ１６に対して、移動端末１２が位置情報の登録を要求するときのいずれかの場合に行うことが好ましい。
【００４０】
このように、ＡＳＮＧＷ３４ａが、移動端末１２とＣＳＮ１８との通信経路から、ＡＳＮＧＷ３４ａとＡＳＮＧＷ２４ａ間の通信経路を開放し、所定の条件下で、移動端末１２とＣＳＮ１８との通信経路を移動端末１２が基地局３２ａ、ＡＳＮＧＷ３４ａ、ＣＳＮ１８を経由して確立する通信経路に切り換えることにより、Ｒ３通信経路を確立する際に発生するパケットロスを最小限に抑えることができる。
【００４１】
また、移動端末１２が基地局２２ａから基地局３２ａへハンドオーバする場合のＲ４通信経路の確立では、ＡＳＮＧＷ３４ａが保有する関連情報を用いているが、この方法に限定されるものではない。例えば、ＡＳＮＧＷ３４ａが、ＨＡ１６に対して問い合わせて入手した移動端末１２の位置登録情報を用いて、移動端末１２がＡＳＮ２０からＡＳＮ３０にハンドオーバしてきたことを検知して、ＡＳＮＧＷ３４ａとＡＳＮＧＷ２４ａ間でＲ４通信経路の確立をしてもよい。
【００４２】
さらに、移動端末１２がＣＳＮ１８を介しての接続はインターネット接続に限定されるものではなく、例えば、アプリケーションサービスプロバイダ（ASP：Application Service Provider）や公衆電話網との接続であってもよい。
【００４３】
さらにまた、移動端末１２のホームアドレス、ＡＳＮＧＷ２４ａ、２４ｂ、３４ａ、３４ｂの識別符号は、個々を識別することができれば特に限定されるものではなく、例えば、ＩＰアドレス、ＭＡＣアドレスを用いることができる。
【００４４】
本発明は、上述の実施の形態に限らず、本発明の要旨を逸脱することなく、種々の構成を採り得ることはもちろんである。
【図面の簡単な説明】
【００４５】
【図１】本発明の実施形態に係るＷｉＭＡＸハンドオーバ制御システムの説明図である。
【図２】移動端末がハンドオーバした後に、Ｒ４通信経路を確立した状態の説明図である。
【図３】Ｒ３通信経路を確立した状態の説明図である。
【図４】従来の一般的なＷｉＭＡＸの全体のシステムの説明図である。
【符号の説明】
【００４６】
１０…ＷｉＭＡＸハンドオーバ制御システム  １２、１２ａ、１２ｂ…移動端末
１４…ＡＡＡサーバ                        １６…ＨＡ
１８…ＣＳＮ                              ２０、３０、１２０…ＡＳＮ
２２ａ、２２ｂ、３２ａ、３２ｂ…基地局
２４ａ、２４ｂ、３４ａ、３４ｂ、１２４ａ、１２４ｂ…ＡＳＮＧＷ
３６…ＷｉＭＡＸＧＷ基地局装置            ４０ａ、４０ｂ…ＧＷグループ
１００…ＷｉＭＡＸシステム
【図１】
2009153042.tif 000003
【図２】
2009153042.tif 000004
【図３】
2009153042.tif 000005
【図４】
2009153042.tif 000006